(57)【要約】【課題】多数の電線同士の短絡を行いながら、ワイヤハーネス本体の外周面上に安定した状態で固定されることが可能なワイヤハーネス用ジョイントコネクタ及びこれを備えたワイヤハーネスを提供する。【解決手段】本発明に係るジョイントコネクタＪＣは、複数の端子部を有する短絡用導体及びこれを保持するコネクタハウジング４０を備える。コネクタハウジング４０は、ワイヤハーネス本体１２上に接触可能な内側面４１ａを有する。この内側面４１ａは、端子部の配列方向の中間部位が当該配列方向の両端部よりもワイヤハーネス本体１２の径方向外側に凹んで当該配列方向について複数の部位が前記ワイヤハーネス本体１２に同時に接触可能となる形状を有する。【選択図】図１
2010061943.tif 000002
【特許請求の範囲】
【請求項１】
複数の電線が束ねられたワイヤハーネス本体の外周面上に固定され、当該ワイヤハーネス本体に含まれる複数の電線の端末にそれぞれ設けられた電線側端子同士を電気的に短絡させるためのワイヤハーネス用ジョイントコネクタであって、
前記各電線側端子と接触可能な形状を有するとともに前記電線側端子に接続される電線の軸方向と略直交する方向に並ぶ複数の端子部とこれら端子部の配列方向に延びて各端子部とつながる短絡部とを一体に有する短絡用導体と、
前記短絡用導体を保持するとともに、この短絡用導体の各端子部に前記各電線側端子が嵌合可能となるようにこれら電線側端子を受入可能な形状を有するコネクタハウジングとを有し、
このコネクタハウジングは、前記ワイヤハーネス本体と前記短絡用導体との間に介在して当該ワイヤハーネス本体上に接触可能な内側面を有する内側壁を含み、かつ、この内側壁の内側面は前記端子部の配列方向の中間部位が当該配列方向の両端部よりも前記ワイヤハーネス本体の径方向外側に凹んで当該配列方向について複数の部位が前記ワイヤハーネス本体に同時に接触可能となる形状を有し、
前記短絡用導体の短絡部は前記内側面に沿う形状を有し、当該短絡部に沿って前記各端子部が配列されていることを特徴とするワイヤハーネス用ジョイントコネクタ。
【請求項２】
請求項１に記載のワイヤハーネス用ジョイントコネクタにおいて、
前記コネクタハウジング及び前記短絡用導体の短絡部は、前記端子部の配列方向についての中間部位が前記ワイヤハーネス本体の径方向外側に突出するように当該中間部分で屈曲し、その屈曲部位を挟んでその両側におけるコネクタハウジングの内側面の少なくとも一部がそれぞれ前記ワイヤハーネス本体の外周面上に接触可能な形状を有し、前記短絡用導体の端子部は前記両側部分にそれぞれ配列されていることを特徴とするワイヤハーネス用ジョイントコネクタ。
【請求項３】
請求項１または２に記載のワイヤハーネス用ジョイントコネクタにおいて、
前記コネクタハウジングは、前記短絡用導体を挟んで前記内側壁と反対の側に外側壁を有し、この外側壁は前記内側面と略平行な形状の外側面を有することを特徴とするワイヤハーネス用ジョイントコネクタ。
【請求項４】
複数の電線が束ねられたワイヤハーネス本体と、
当該ワイヤハーネス本体に含まれる複数の電線の端末にそれぞれ設けられた電線側端子と、
これらの電線側同士を電気的に短絡させるためのワイヤハーネス用ジョイントコネクタとを備えたワイヤハーネスであって、
前記ワイヤハーネス用ジョイントコネクタとして請求項１〜３のいずれかに記載のワイヤハーネス用ジョイントコネクタを含み、
このジョイントコネクタにおける短絡用導体の端子部の配列方向について、当該ジョイントコネクタにおけるコネクタハウジングの内側面の複数の部位が前記ワイヤハーネス本体の外周面に接触した状態で当該ジョイントコネクタと当該ワイヤハーネス本体とにテープが巻付けられることにより当該ワイヤハーネス本体の外周面上に当該ジョイントコネクタが固定されていることを特徴とするワイヤハーネス。
【発明の詳細な説明】
【技術分野】
【０００１】
本発明は、複数の電線を含む車両用ワイヤハーネス等に設けられ、その特定の電線の端末にそれぞれ設けられた電線側端子同士を短絡させるためのワイヤハーネス用ジョイントコネクタ、及びこれを備えたワイヤハーネスに関するものである。
【背景技術】
【０００２】
従来、車両用ワイヤハーネスに含まれる複数の電線同士を短絡させるためのワイヤハーネス用ジョイントコネクタとして、特許文献１に記載されるものが知られている。
【０００３】
このワイヤハーネス用ジョイントコネクタは、前記各電線の端末に装着された電線側端子同士を短絡させるための短絡用導体と、この短絡用導体および前記電線側端子を保持するコネクタハウジングとを備える。前記短絡用導体は、単一の平坦な金属板からなり、特定方向に並ぶ複数の端子部と、当該特定方向に延びて前記各端子部につながる短絡部とを一体に有し、前記各端子部に前記電線側端子がそれぞれ接続される。前記コネクタハウジングは、前記短絡用導体の板厚方向に偏平な略平板状をなし、前記ワイヤハーネスの本体（幹線）の外周面上にテープ巻きにより固定される。
【特許文献１】特開２００５−５０７９４号公報
【発明の開示】
【発明が解決しようとする課題】
【０００４】
前記のジョイントコネクタでは、短絡すべき電線の本数が多いほど当該ジョイントコネクタの固定状態が不安定になるという課題がある。
【０００５】
具体的に、前記ジョイントコネクタのコネクタハウジングは略平板状の外形を有し、その幅方向に沿って前記短絡用導体の端子部が一直線上に配列されるものであるので、短絡対象となる電線の本数及びこれに対応する端子部の本数が多いほど、当該ジョイントコネクタの幅寸法（端子部の配列方向の寸法）も大きくなる。その一方、当該ジョイントコネクタがテープ巻きにより固定されるワイヤハーネスの本体（例えば幹線）は円形またはこれに近い形状の断面を有し、当該ワイヤハーネス本体の長手方向と前記ジョイントコネクタの幅方向とが略直交する姿勢で当該ワイヤハーネス本体の外周面上に当該ジョイントコネクタが固定されるため、当該ジョイントコネクタの幅寸法が大きくなるほど前記ワイヤハーネス本体の外周面上での当該ジョイントコネクタの取付姿勢が不安定になる。
【０００６】
本発明は、このような事情に鑑み、多数の電線同士の短絡を行いながら、ワイヤハーネス本体の外周面上に安定した状態で固定されることが可能なワイヤハーネス用ジョイントコネクタ及びこれを備えたワイヤハーネスを提供することを目的とする。
【課題を解決するための手段】
【０００７】
前記課題を解決するための手段として、本発明は、複数の電線が束ねられたワイヤハーネス本体の外周面上に固定され、当該ワイヤハーネス本体に含まれる複数の電線の端末にそれぞれ設けられた電線側端子同士を電気的に短絡させるためのワイヤハーネス用ジョイントコネクタであって、前記各電線側端子と接触可能な形状を有するとともに前記電線側端子に接続される電線の軸方向と略直交する方向に並ぶ複数の端子部とこれら端子部の配列方向に延びて各端子部とつながる短絡部とを一体に有する短絡用導体と、前記短絡用導体を保持するとともに、この短絡用導体の各端子部に前記各電線側端子が嵌合可能となるようにこれら電線側端子を受入可能な形状を有するコネクタハウジングとを有し、このコネクタハウジングは、前記ワイヤハーネス本体と前記短絡用導体との間に介在して当該ワイヤハーネス本体上に接触可能な内側面を有する内側壁を含み、かつ、この内側壁の内側面は前記端子部の配列方向の中間部位が当該配列方向の両端部よりも前記ワイヤハーネス本体の径方向外側に凹んで当該配列方向について複数の部位が前記ワイヤハーネス本体に同時に接触可能となる形状を有し、前記短絡用導体の短絡部は前記内側面に沿う形状を有し、当該短絡部に沿って前記各端子部が配列されているものである。
【０００８】
このジョイントコネクタによれば、比較的多数の電線同士の短絡を可能にしながら、当該ジョイントコネクタのワイヤハーネス本体上での固定状態を安定させることが可能である。具体的に、当該ジョイントコネクタに係るコネクタハウジングの内側面は、当該ジョイントコネクタの短絡用導体における端子部の配列方向について、当該内側面の中間部位が両端部よりもワイヤハーネス本体の径方向外側に凹んで複数の部位が前記ワイヤハーネス本体に同時に接触可能となる形状を有するので、当該配列方向に沿う短絡用導体の短絡部の長さが大きくても、前記コネクタハウジングを前記ワイヤハーネス本体の外周面上に安定した状態で設置することができる。従って、当該配列方向に沿って並ぶ端子部の数を増やして短絡可能な電線の本数を増やしながらも、ワイヤハーネス本体上でのジョイントコネクタの固定状態を安定させることができる。
【０００９】
前記コネクタハウジング及び前記短絡用導体の短絡部は、例えば、前記端子部の配列方向についての中間部位が前記ワイヤハーネス本体の径方向外側に突出するように当該中間部分で屈曲し、その屈曲部位を挟んでその両側の部分が平板状をなし、当該平板状の部分の少なくとも一部がそれぞれ前記ワイヤハーネス本体の外周面上に接触可能な形状を有し、前記短絡用導体の端子部が前記両側部分にそれぞれ配列されているものが、好適である。このジョイントコネクタでは、前記コネクタハウジング及び前記短絡部の一部が屈曲するだけの単純な形状でありながら当該ジョイントコネクタの固定状態を安定させることができる。
【００１０】
前記コネクタハウジングのうち、前記短絡用導体を挟んで前記内側壁と反対の側に位置する外側壁の形状は適宜設定可能であるが、当該外側壁が前記内側面と略平行な形状の外側面を有するものであれば、当該コネクタハウジングの厚み寸法を前記端子部の配列方向について均一化することができ、当該コネクタハウジングのワイヤハーネス本体外周面上からの突出寸法を抑えることができる。
【００１１】
また本発明は、複数の電線が束ねられたワイヤハーネス本体と、当該ワイヤハーネス本体に含まれる複数の電線の端末にそれぞれ設けられた電線側端子と、これらの電線側同士を電気的に短絡させるために設けられる前記のワイヤハーネス用ジョイントコネクタとを備えたワイヤハーネスであって、当該ジョイントコネクタにおける短絡用導体の端子部の配列方向について当該ジョイントコネクタにおけるコネクタハウジングの内側面の複数の部位が前記ワイヤハーネス本体の外周面に接触した状態で当該ジョイントコネクタと当該ワイヤハーネス本体とにテープが巻付けられることにより当該ワイヤハーネス本体の外周面上に当該ジョイントコネクタが固定されているものである。
【発明の効果】
【００１２】
以上のように、本発明によれば、コネクタハウジング及びこれに保持される短絡用導体の形状の工夫により、多数の電線同士の短絡を行いながら、ワイヤハーネス本体の外周面上に安定した状態で固定されることが可能なワイヤハーネス用ジョイントコネクタ及びこれを備えたワイヤハーネスを提供することができる効果がある。
【発明を実施するための最良の形態】
【００１３】
本発明の好ましい実施の形態を図面を参照しながら説明する。
【００１４】
図１は、この実施形態に係るワイヤハーネスにおいて、これに含まれるジョイントコネクタＪＣがワイヤハーネス本体（ここでは幹線１２）の外周面上に設置された状態を示すものである。前記幹線１２は、複数本の電線１０が束ねられたものであり、前記ジョイントコネクタＪＣは、当該幹線１２から引き出された特定の電線１０を相互に短絡させるべくこれらの電線の端末に接続されるとともに、前記幹線１２の外周面上に設置され、かつ、図略のテープによって前記幹線１２に巻き付けられ、固定される。このテープには、前記幹線１２の周囲に巻き付けられて電線１０の結束状態を保持するための結束用テープが兼用されてもよいし、当該結束用テープとは別の専用のテープが用いられてもよい。
【００１５】
前記特定の電線１０は、それぞれ、導体とこれを被覆する絶縁被覆とを有し、前記ジョイントコネクタＪＣ及び複数の電線側端子２０との組合せによって相互に短絡される。
【００１６】
各電線側端子２０は、図３および図４に示されるように、雌型の電気接触部２２と、電線圧着部２４とを前後に有する。前記電気接触部２２は、中空角筒状の本体と、この本体内で撓み可能に設けられる接触ばね片２６とを有する。この電気接触部２２の底壁からは、前記ジョイントコネクタＪＣに係止されるための被係止片２８が外向きに突出している。前記電線圧着部２４は、対応する電線１０の端末に圧着される。当該電線１０の端末には、予め、その絶縁被覆を除去して導体を露出させる処理が施されており、前記電線圧着部２４は、前記導体の端末及びその近傍の絶縁被覆をそれぞれ抱き込むように曲げ加工されることにより、前記電線１０の端末に圧着されてその導体に電気的に接続される。
【００１７】
次に、この実施の形態に係るジョイントコネクタＪＣの構成を図２〜図５を参照しながら説明する。
【００１８】
このジョイントコネクタＪＣは、図３〜図５に示されるような単一の短絡用導体３０と、この短絡用導体３０を保持するためのコネクタハウジング４０とを備える。前記短絡用導体３０は、導電材料からなり、前記各電線側端子２０に共通して接続されることによりこれらの電線側端子２０同士を短絡させる。前記コネクタハウジング４０は、合成樹脂等の絶縁材料により全体が一体に成型され、前記短絡用導体３０を格納した状態で保持することが可能な形状、具体的には当該短絡用導体３０の厚み方向に偏平な形状を有する。その形状の詳細については後述する。
【００１９】
前記短絡用導体３０は、単一の金属板を適当な形状に打ち抜くことと、その適当な部位を曲げ加工することとにより形成されたもので、複数の（図例では８本の）端子部３２と、これら端子部３２につながる短絡部３４とを一体に有する。各端子部３２は、前記各電線側端子２０の雌型の電気接触部２２に嵌入可能な雄型（タブ）の嵌合部であり、これらの端子部３２がその幅方向と平行な方向（その長手方向と直交する方向）に配列されている。前記短絡部３４は、前記端子部３２の配列方向に延び、この短絡部３４に前記各端子部３２の基端がつながっている。
【００２０】
この短絡用導体３０の特徴として、前記短絡部３４は、その長手方向（端子部３２の配列方向）の中間部位で略９０°に屈曲された略Ｖ字状をなす。すなわち、当該短絡部３４は、その長手方向の中間位置に屈曲部３８を有する。そして、この屈曲部３８を挟んでその両側部分にそれぞれ４本の端子部３２がつながっている。
【００２１】
前記屈曲部３８の屈曲角度及び位置は適宜設定可能である。この屈曲部３８は必ずしも短絡部３４の長手方向の中央位置になくてもよく、いずれかの端部に偏っていてもよい。また、前記端子部３２は必ずしも屈曲部３８の両側に同数ずつ振り分けられていなくてもよい。
【００２２】
前記コネクタハウジング４０は、前記短絡用導体３０の短絡部３４の形状に対応した形状、すなわち略Ｖ字状をなす。具体的に、このコネクタハウジング４０は、一対の平板状の本体部４０Ａ，４０Ｂと、これらの本体部４０Ａ，４０Ｂ同士の間に介在する屈曲部４８とを一体に有し、当該屈曲部４８で略９０°に屈曲した全体形状を有する。
【００２３】
このコネクタハウジング４０は、互いに平行な板状（この実施の形態では略Ｖ字状）の内側壁４１及び外側壁４２と、両壁４１，４２の外側端部同士をつなぐ側壁４４とを有する。これらの壁４１，４２，４４はコネクタハウジング４０の外壁を構成し、前記短絡用導体４０を取り囲む形状を有する。
【００２４】
前記外壁の後端部（図３及び図４では左端部、図５では下端部）は、導体保持部４３を構成する。この導体保持部４３は後方に開口する挿入口４３ａを有し、この挿入口４３ａから前記短絡用導体３０の短絡部３４が圧入されることにより、当該短絡部３４が当該導体保持部４３に保持される。すなわち、前記導体保持部４３は、前記短絡用導体３０の短絡部３４を保持する形状を有する。具体的には、前記短絡部３４よりも一回り大きく、前記短絡用導体３０の端子部３２の配列方向に延びる外形（この実施の形態では略Ｖ字状）を有し、前記短絡部３４が後方（図３では左方）から挿入可能な前記挿入口４３ａを囲む。この挿入口４３ａから前記短絡部３４が前記各端子部３２を前方に向けた姿勢で導体保持部４３内に圧入される。より詳しくは、当該短絡部３４の長手方向（端子部３２の配列方向）の両端部に図５に示すような突起３４ａが形成されており、これらの突起３４ａが前記導体保持部４３の内側面に食い込むことで前記導体保持部４３に前記短絡部３４が固定されている。
【００２５】
各本体部４０Ａ，４０Ｂにおいて、前記導体保持部４３よりも前側の部分には、両側壁４４と平行な複数（図では３つ）の仕切り壁４５が幅方向（端子部３２の配列方向と平行な方向）に配列される。各仕切り壁４５は、これに隣接する他の仕切り壁４５または側壁４４との間に端子収容室４７を画定する。各端子収容室４７は、前方に開口し、かつ、その開口から前記電線側端子２０が挿入可能な形状を有する。各端子収容室４７内にはそれぞれ後方から前記短絡用導体３０の各端子部３２が突出しており、当該端子収容室４７に挿入された電線側端子２０の電気接触部２２が前記端子部３２と嵌合することにより当該電線側端子２０と短絡用導体３０とが電気的に導通する。
【００２６】
前記外側壁４２には、前記各端子収容室４７に対応する位置にランス（端子係止部）４６が形成されている。各ランス４６は、前記外側壁４２に形成された略コ字状のスリット４２ｓ（図１）により囲まれていて、当該外側壁４２の本体に対してその厚み方向に撓み変形することが可能な自由端部を有し、その自由端部に爪状の係止部４６ａが形成されている。この係止部４６ａは、挿入される電線側端子２０と接触することにより図３に示すように撓み変形して当該電線側端子２０の通過を許容し、その通過後に正規の位置に弾性的に復帰することにより図４に示すように前記電線側端子２０の被係止部２８を後方から拘束する。つまり、電線側端子２０をこの電線側端子２０が前記端子部３２と嵌合する位置に係止する。
【００２７】
このジョイントコネクタＪＣは、その内側壁４１が前記幹線１２と前記短絡用導体３０との間に介在し、かつ、前記端子部３２の配列方向（前記短絡部３４の長手方向）が前記幹線１２の長手方向と略直交する姿勢で当該幹線１２に固定されることを想定して構成される。従って、前記内側壁４１の表側面は前記幹線１２の外周面と接触する内側面４１ａを構成し、これと平行な前記外側壁４２の表側面は前記短絡用導体３０を挟んで前記幹線１２と反対の側（外側）に位置する外側面４２ａを構成する。そして、前記内側面４２における端子部３２の配列方向の中間部位（屈曲部４８）が当該配列方向の両端部よりも前記ワイヤハーネス本体の径方向外側に凹むような向きで屈曲するようにコネクタハウジング４０の形状が設定されている。
【００２８】
次に、このジョイントコネクタＪＣの使用要領を説明する。
【００２９】
まず、前記幹線１２から相互短絡の対象となる特定の電線１０が引き出され、これらの電線１０が共通のジョイントコネクタＪＣに接続される。具体的に、各電線１０の端末には予め電線側端子２０が装着されており、これらの電線側端子２０が前記ジョイントコネクタ２０のコネクタハウジング４０において対応する端子収容室４７内にそれぞれ挿入され、短絡用導体３０の端子部３２に嵌合されることにより、当該短絡用導体３０を媒介として前記電線側端子２０同士（電線１０同士）が短絡される。
【００３０】
このようにして各電線１０が接続されたジョイントコネクタＪＣは、そのコネクタハウジング４０の内側壁４１を内側にして前記幹線１２上に設置される。そして、このジョイントコネクタＪＣ及び幹線１２の周囲にテープが巻き付けられることにより当該ジョイントコネクタＪＣが当該幹線１２の外周面上に固定される。
【００３１】
前記幹線１２の断面形状は円形またはこれに近い形状を有することが多いため、例えば平坦な面にジョイントコネクタＪＣを固定する場合に比べて前記幹線１２上でのジョイントコネクタの固定状態は不安定になり易いが、この実施の形態に係るジョイントコネクタＪＣの形状は当該幹線１２上でのジョイントコネクタＪＣの固定状態の安定化に大きく寄与する。具体的には、前記内側壁４１の表側面である内側面４１ａが、その中間部位（屈曲部４８）が前記幹線１２の径方向外側に凹むように屈曲する形状を有しているため、その屈曲部位を挟んで両側の特定部位すなわち複数の部位が前記幹線１２の外周面上に同時に接触することが可能であり、このことが当該幹線１２上でのジョイントコネクタＪＣの固定状態を安定させる。
【００３２】
例えば、図６（ａ）に示すように従来の平板型のジョイントコネクタＪＣ′が円形断面を有する幹線１２の外周面上に設置され、これらの周囲にテープ１８が巻き付けられることにより前記ジョイントコネクタＪＣ′が固定される場合、当該ジョイントコネクタＪＣと幹線１２との接触部位は大略１箇所であり、また、前記テープ１８のうち前記ジョイントコネクタＪＣ′及び幹線１２のいずれにも接触できない領域（すなわち浮いている領域）が大きいから、当該ジョイントコネクタＪＣの姿勢は不安定であって、例えば同図二点鎖線に示すような位置ずれを起こし易い。このことは、ジョイントコネクタＪＣ′における端子数の増加（すなわち短絡対象となる電線の本数の増加）によりコネクタ幅寸法Ｗが大きくなるほど、より顕著となる。
【００３３】
これに対し、同図（ｂ）に示すような前記実施の形態に係るジョイントコネクタＪＣのコネクタハウジングでは、屈曲部４８の両側に位置する各本体部４０Ａ，４０Ｂの内側面４１ａがそれぞれ幹線１２上に接触することができ、また、当該コネクタハウジングの形状が幹線１２の外周面に比較的沿う形状であることからこれらに巻き付けられるテープ１８が浮いている領域が小さいので、前記図６（ａ）に示すジョイントコネクタＪＣ′に比べて固定状態は著しく安定化する。さらに、前記図３および図４に示す短絡用導体３０の端子部３２は左右の本体部４０Ａ，４０Ｂに振り分けられるので、当該端子部３２の数を増やしながらも安定した固定状態を維持することが可能である。
【００３４】
本発明に係るジョイントコネクタの具体的な形状は前記図１等に示したものに限られない。例えば、図７に示すジョイントコネクタＪＣのように短絡用導体３０の短絡部３４及びコネクタハウジング４０が２箇所（それ以上でもよい。）で屈曲し、各屈曲部位の両側にそれぞれ端子部３２が配列されてもよい。一般には、当該屈曲部位の数が増えるほど、コネクタハウジング４０の内側面４１ａが幹線１２と接触することが可能な箇所が増え、その固定状態はより安定化する。
【００３５】
また、本発明において「端子部の配列方向の中間部位が当該配列方向の両端部よりも前記ワイヤハーネス本体の径方向外側に凹んで当該配列方向について複数の部位が前記ワイヤハーネス本体に同時に接触可能となる形状」とは、その凹んだ部位及びワイヤハーネス本体に接触可能な部位が間欠的に存在することを限定する趣旨ではなく、当該部位が連続的に存在するもの、すなわち、無数に存在するものも含む趣旨である。例えば、図７（ｂ）に示すように短絡用導体３０の短絡部３４及びコネクタハウジング４０の内側面４１ａの形状が幹線１２の外周面に沿う円弧状であって当該内側面４１ａのほぼ全域が幹線１２の外周面に接触可能なものでもよい。あるいは当該内側面４１ａがワイヤハーネス本体の径方向外側に凹む向きの曲面とこれにつながる平面または曲面との組合せによって構成されてもよい。
【００３６】
また、図７（ａ）（ｂ）のいずれの例においても、前記図１に示されるジョイントコネクタＪＣと同様にコネクタハウジング４０の外側面４２ａが前記内側面４１ａと略平行な面であれば、コネクタハウジング４０の厚みの均一化によってその幹線１２の外周面からの突出量を極力抑えることが可能である。いずれの場合も、短絡用導体３０は単一の金属板により構成されたものが好ましく、その厚み方向と前記コネクタハウジング４０の厚み方向とが合致する姿勢で当該コネクタハウジング４０内に当該短絡用導体３０が保持されることが望ましい。
【図面の簡単な説明】
【００３７】
【図１】本発明の実施の形態に係るワイヤハーネス用ジョイントコネクタがワイヤハーネス本体である幹線の外周面上に設置された状態を示す斜視図である。
【図２】（ａ）は前記ジョイントコネクタの正面図、（ｂ）はその背面図である。
【図３】前記ジョイントコネクタに電線側端子が挿入される途中の状態を示す断面側面図である。
【図４】前記ジョイントコネクタに前記電線側端子が完全に挿入された状態を示す断面側面図であって図２（ａ）のＩＶ−ＩＶ線断面図である。
【図５】図２（ａ）のＶ−Ｖ線断面図である。
【図６】（ａ）は従来のジョイントコネクタの固定状態を示す断面図、（ｂ）は本発明の実施形態に係るジョイントコネクタの固定状態を示す断面図である。
【図７】（ａ）（ｂ）は本発明に係るジョイントコネクタのコネクタハウジングの形状の変形例を示す正面図である。
【符号の説明】
【００３８】
ＪＣ    ジョイントコネクタ
１０    電線
１２    ワイヤハーネスの幹線
１８    テープ
２０    電線側端子
３０    短絡用導体
３２    端子部
３４    短絡部
３８    屈曲部
４０    コネクタハウジング
４０Ａ，４０Ｂ  本体部
４１    内側壁
４１ａ  内側面
４２    外側壁
４２ａ  外側面
４７    端子収容室
４８    屈曲部
【図１】
2010061943.tif 000003
【図２】
2010061943.tif 000004
【図３】
2010061943.tif 000005
【図４】
2010061943.tif 000006
【図５】
2010061943.tif 000007
【図６】
2010061943.tif 000008
【図７】
2010061943.tif 000009